【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
コンピュータ可読記憶媒体、及びそれに組み込まれたコンピュータプログラム機構を含む、コンピュータシステムとともに使用するコンピュータプログラム製品であって、前記コンピュータプログラム機構が、
(A) 複数の完全収縮運動を含む完全収縮運動療法に参加している対象者の医療健康情報を受信する命令、ここで複数の完全収縮運動における各完全収縮運動それぞれが対象者の完全収縮筋群に圧力を加えるものであり；
(B)前記対象者の医療健康情報の関数として1つ以上の運動制約を作成する命令；
(C)フィットネストレーナーの立ち会いのもとで、固体運動機器を使用して前記対象者によって行われた複数の完全収縮運動から運動結果を受信する命令であって、前記固体運動機器が、前記1つ以上の運動制約の中のいくつかの運動制約を課し、又は監視するために歪みゲージを有し、かつ前記歪みゲージからのデータが前記運動結果内で見られ；
(D)前記対象者が前記複数回の完全収縮運動を行わない間、前記対象者に必須の回復期間を設ける命令、ここで必須の回復期間が(C)において受信した運動の結果の関数であり；
(E)(C)において受信される該運動結果に基づいて改良される新しい１組の１以上の運動制約を創り出す命令；及び
(F)該新しい1組の1つ以上の運動制約を使用して前記受信する命令(C)及び前記回復期間を設ける命令(D)を繰り返す命令と
を含む、前記コンピュータプログラム製品。
【請求項２】
前記1つ以上の運動制約の中の1つの運動制約が、前記複数の完全収縮運動において、完全収縮運動で使用できる力の量である、請求項1記載のコンピュータプログラム製品。
【請求項３】
前記1つ以上の運動制約の中の1つの運動制約が、前記複数の完全収縮運動における完全収縮運動の反復の最大数である、請求項1記載のコンピュータプログラム製品。
【請求項４】
前記必須の回復時間が前記運動結果の関数である、請求項1記載のコンピュータプログラム製品。
【請求項５】
前記運動結果が、前記複数の完全収縮運動における1つの運動中に前記対象者が力をかけることができた時間の長さである、請求項4記載のコンピュータプログラム製品。
【請求項６】
前記運動結果が、前記対象者が前記複数の完全収縮運動における1つの完全収縮運動中に力をかけることができた力の量である、請求項4記載のコンピュータプログラム製品。
【請求項７】
前記対象者によって行われた前記複数の完全収縮運動が5分以下で達成された、請求項1記載のコンピュータプログラム製品。
【請求項８】
前記完全収縮運動療法が、複数の筋群を働かせ、それによって全身刺激を達成する、請求項1記載のコンピュータプログラム製品。
【請求項９】
前記複数の完全収縮運動の中の1つの完全収縮運動が、衰弱点に達するまで筋群に圧力を加える、請求項1記載のコンピュータプログラム製品。
【請求項１０】
前記コンピュータプログラム機構が、前記運動制約及び運動結果のすべて又は一部分を暗号化された方法で受信する命令をさらに含む、請求項1記載のコンピュータプログラム製品。
【請求項１１】
前記必須の回復期間の時間の長さが、前記完全収縮運動療法を使用する他の対象者において測定された前記運動結果及び経験の傾向の関数であり、前記他の対象者が、前記対象者と共通する1つ以上の特徴を有する、請求項1記載のコンピュータプログラム製品。
【請求項１２】
前記コンピュータプログラム機構が、
前記対象者のための前記完全収縮運動療法に関係する課金及び請求書発行情報を受信する命令を含む、請求項1記載のコンピュータプログラム製品。
【請求項１３】
前記コンピュータプログラム機構が、
前記対象者に関係する暗号化されたすべての医学的データ、運動データ、及び管理情報を、ネットワークを介して受信する命令をさらに含む、請求項1記載のコンピュータプログラム製品。
【請求項１４】
前記コンピュータプログラム機構が、
前記対象者に関連付けられている1つ以上の暗号化された医学的ファイル
をさらに含む、請求項1記載のコンピュータプログラム製品。
【請求項１５】
前記コンピュータプログラム機構が、
複数のリモートサイトのうちの任意の1つ以上から、前記医療健康情報、及び前記運動結果を受信する命令をさらに含む、請求項1記載のコンピュータプログラム製品。
【請求項１６】
ある対象者のための完全収縮運動療法を容易にするコンピュータシステムであって、
中央処理ユニット；
(A)複数の完全収縮運動を含む完全収縮運動療法に参加している対象者の医療健康情報を受信する命令、ここで複数の完全収縮運動における各完全収縮運動それぞれが対象者の完全収縮筋群に圧力を加えるものであり；
(B)前記対象者の医療健康情報の関数として1つ以上の運動制約を作成する命令；
(C)フィットネストレーナーの立ち会いのもとで、固体運動機器を使用して前記対象者によって行われた複数の完全収縮運動から運動結果を受信する命令であって、前記固体運動機器が、前記1つ以上の運動制約の中のいくつかの運動制約を課し、又は監視するために歪みゲージを有し、前記歪みゲージからのデータが前記運動結果内で見られる、命令；
(D)前記対象者が複数の完全収縮運動を行わない、前記対象者に必須の回復期間を設ける命令、ここで前記必須の回復期間が、(C)において受信される前記運動結果の関数であり；
(E)(C)において受信される該運動結果に基づいて改良される新しい１組の１以上の運動制約を創り出す命令；及び
(F)前記新しい1組の1つ以上の運動制約を使用して前記受信する命令(C) 及び前記回復期間を設ける命令(D)を繰り返す命令とを含むコンピュータプログラム機構を格納する、前記中央処理ユニットに結合されたメモリ；を含む、前記コンピュータシステム。
【請求項１７】
前記1つ以上の運動制約の中の1つの運動制約が、前記複数の完全収縮運動における1つの完全収縮運動で使用できる力の量である、請求項16記載のコンピュータシステム。
【請求項１８】
前記1つ以上の運動制約の中の1つの運動制約が、前記複数の完全収縮運動における、1つの完全収縮運動の反復の最大数である、請求項16記載のコンピュータプログラム製品。
【請求項１９】
前記必須の回復時間が前記運動結果の関数である、請求項16記載のコンピュータシステム。
【請求項２０】
前記運動結果が、前記複数の完全収縮運動における、1つの完全収縮運動中に前記対象者が力をかけることができた時間の長さである、請求項19記載のコンピュータシステム。
【請求項２１】
前記運動結果が、前記複数の完全収縮運動における、1つの完全収縮運動中に前記対象者が力をかけることができた力の量である、請求項19記載のコンピュータシステム。
【請求項２２】
前記対象者によって行われた前記複数の完全収縮運動が5分以下で達成された、請求項16記載のコンピュータシステム。
【請求項２３】
前記完全収縮運動療法が、複数の筋群を働かせ、それによって全身刺激を達成する、請求項16記載のコンピュータシステム。
【請求項２４】
前記複数の完全収縮運動の中の1つの完全収縮運動が、衰弱点に達するまで筋群に圧力を加える、請求項16記載のコンピュータシステム。
【請求項２５】
前記コンピュータプログラム機構が、前記運動制約及び運動結果のすべて又は一部分を暗号化された方法で受信する命令をさらに含む、請求項16記載のコンピュータシステム。
【請求項２６】
前記必須の回復期間の時間の長さが、前記完全収縮運動療法を使用する他の対象者において測定された前記運動結果及び経験の傾向の関数であり、前記他の対象者が、前記対象者と共通する1つ以上の特徴を有する、請求項16記載のコンピュータシステム。
【請求項２７】
前記コンピュータプログラム機構が、
前記対象者のための前記完全収縮運動療法に関係する課金及び請求書発行情報を受信する命令をさらに含む、請求項16記載のコンピュータシステム。
【請求項２８】
前記コンピュータプログラム機構が、
前記対象者に関係する暗号化されたすべての医学的データ、運動データ、及び管理情報を、ネットワークを介して受信する命令をさらに含む、請求項16記載のコンピュータシステム。
【請求項２９】
前記コンピュータプログラム機構が、
前記対象者に関連付けられている1つ以上の暗号化された医学的ファイルをさらに含む、請求項16記載のコンピュータシステム。
【請求項３０】
前記コンピュータプログラム機構が、
複数のリモートサイトのうちの任意の1つ以上から、前記医療健康情報、及び前記運動結果を受信する命令をさらに含む、請求項16記載のコンピュータシステム。
【請求項３１】
ある対象者のための完全収縮運動療法を容易にする固体運動装置であって、
ケーシング；
前記ケーシング内に収納される歪みゲージ；
前記ケーシング内に収納される中央処理ユニット；
(A)1つ以上の運動制約を受信する命令、ここで前記1つ以上の運動制約がリモートコンピュータによって前記対象者の医療健康情報の関数として決定されたものである；
(B)フィットネストレーナー又は健康専門家の立ち会いのもとで、前記運動装置を使用して前記対象者によって実行された複数の完全収縮運動から運動結果を算出する命令、ここで複数の完全収縮運動における各完全収縮運動それぞれが対象者の完全収縮筋群に圧力を加えるものであり、かつ前記1つ以上の運動制約の中の1つの運動制約を課すために、前記運動装置が前記歪みゲージを使用する；
(C)前記運動結果を前記リモートコンピュータに送信する命令；及び
(D)新しい1組の1つ以上の運動制約を使用して(i) 前記受信する命令(A)と、(ii) 前記算出する命令(B)と、(iii)前記送信する命令(C)とを繰り返す命令；
を含むコンピュータプログラム機構を格納する、前記中央処理ユニットに結合された、前記ケーシング内に収納されているメモリ；
を含み、前記1組の1つ以上の運動制約が、前記算出する命令(B)の前のインスタンスの前記運動結果に基づいて改良され；かつ
前記算出する命令(B)の前のインスタンスの該運動結果によって決定された前記対象者に必須の回復期間の後、前記繰り返す命令が実行される；
前記固体運動装置。
【請求項３２】
前記1つ以上の運動制約の中の1つの運動制約が、前記複数の完全収縮運動における1つの完全収縮運動で使用できる力の量である、請求項31記載の固体運動装置。
【請求項３３】
前記1つ以上の運動制約の中の1つの運動制約が、前記複数の完全収縮運動の1つの完全収縮運動の反復の最大量である、請求項31記載の固体運動装置。
【請求項３４】
前記必須の回復時間が前記運動結果の関数である、請求項31記載の固体運動装置。
【請求項３５】
前記運動結果が、前記複数の完全収縮運動における1つの完全収縮運動中に前記対象者が力をかけることができた時間の長さである、請求項31記載の固体運動装置。
【請求項３６】
前記運動結果が、前記複数の完全収縮運動における1つの完全収縮運動中に前記対象者が力をかけることができた力の量である、請求項31記載の固体運動装置。
【請求項３７】
前記複数の完全収縮運動における1つの完全収縮運動が、衰弱点に達するまで筋群に圧力を加える、請求項31記載の固体運動装置。
【請求項３８】
前記必須の回復期間の時間の長さが、前記完全収縮運動療法を使用する他の対象者において測定された前記運動結果及び経験の傾向の関数であり、前記他の対象者が、前記対象者と共通する1つ以上の特徴を有する、請求項31記載の固体運動装置。
【請求項３９】
前記1つ以上の特徴の中の1つの特徴が、健康状態、年齢、又は性別である、請求項38記載の固体運動装置。
【請求項４０】
前記固体運動装置が調整により該対象者の解剖学的構造に適応する、請求項31記載の固体運動装置。
【請求項４１】
前記固体運動装置が、完全収縮位置において該対象者に運動を許容する、請求項31記載の固体運動装置。
【請求項４２】
該対象者の体内の結合組織の圧縮に起因する単なる名目的な動きが前記複数の完全収縮運動における1つの完全収縮運動の間に生じる、請求項31記載の固体運動装置。
【請求項４３】
ある対象者のための完全収縮運動療法を容易にする方法であって、
(A)前記対象者の医療健康情報の関数として、1つ以上の運動制約を作成すること；
(B)フィットネストレーナー又は健康専門家の立ち会いのもとで、運動機器を使用して、前記対象者に複数の完全収縮運動を実行させ、それによって運動結果を生み出すこと、ここで前記1つ以上の運動制約の中のいくつかの運動制約を課し、又は監視するために、前記運動機器が1つ以上の歪みゲージを有し；
(C)ステップ(B)の後、その間前記対象者が前記複数の完全収縮運動を行わない、前記対象者に必須の回復期間を課すこと；及び
(D)ステップ(B)の前の例の前記運動結果に基づいて改良された新しい1組の1つ以上の運動制約を使用して、前記対象者にステップ(B)及び(C)を繰り返させること
を含み；かつステップ(B)中に、前記フィットネストレーナー又は健康専門家が他の任意の対象者に割り当てられない、前記方法。
【請求項４４】
前記1つ以上の運動制約の中の1つの運動制約が、前記複数の完全収縮運動における1つの完全収縮運動において使用できる力の量である、請求項43記載の方法。
【請求項４５】
前記1つ以上の運動制約の中の1つの運動制約が、前記複数の完全収縮運動における1つの完全収縮運動の反復の最大量である、請求項43記載の方法。
【請求項４６】
前記必須の回復時間が前記運動結果の関数である、請求項43記載の方法。
【請求項４７】
前記運動結果が、前記複数の完全収縮運動における1つの完全収縮運動中に前記対象者が力をかけることができた時間の長さである、請求項43記載の方法。
【請求項４８】
前記運動結果が、前記複数の完全収縮運動における1つの完全収縮運動中に前記対象者が力をかけることができた力の量である、請求項43記載の方法。
【請求項４９】
ステップ(B)が5分以下で前記対象者によって達成される、請求項43記載の方法。
【請求項５０】
前記運動機器が前記運動結果の視覚的なフィードバックを提供する、請求項43記載の方法。
【請求項５１】
前記完全収縮運動療法が、前記対象者の複数の筋群を働かせ、それによって全身刺激を達成する、請求項43記載の方法。
【請求項５２】
前記複数の完全収縮運動の中の1つの完全収縮運動が、衰弱点に達するまで筋群に圧力を加える、請求項43記載の方法。
【請求項５３】
前記運動制約及び運動結果のすべて又は一部分を、暗号化された方法でネットワークを介して中央システムに伝えることをさらに含む、請求項43記載の方法。
【請求項５４】
前記必須の回復期間の時間の長さが、前記完全収縮運動療法を使用する他の対象者において測定された前記運動結果及び経験の傾向の関数であり、前記他の対象者が、前記対象者と共通する1つ以上の特徴を有する、請求項43記載の方法。
【請求項５５】
前記方法が、前記対象者のための前記完全収縮運動療法に関係する課金及び請求書発行情報を中央データストアに送信すること、及び、また送信し、該対象者の医師、該対象者の雇用者又は該対象者の保険業者と電子的に相互交流することをさらに含む、請求項43記載の方法。
【請求項５６】
前記複数の完全収縮運動が、1つ以上のベンチプレス、1つ以上のレッグプレス、1つ以上のベントロー、及び1つ以上のデッドリフトを含む、請求項43記載の方法。
【請求項５７】
前記運動結果に前記対象者の骨格筋の発達が含まれる、請求項43記載の方法。
【請求項５８】
前記対象者が、前記複数の完全収縮運動中の1つの全完全収縮運動の間、完全収縮位置にある、請求項43記載の方法。
【請求項５９】
前記1つ以上の運動制約における1つの運動制約が、前記複数の完全収縮運動中の1つの完全収縮運動の力の最大量である、請求項43記載の方法。